(57)【要約】【課題】かご室内の騒音をより確実に抑制することができるエレベータのかごを得る。【解決手段】かご室５の上部は上部整風カバー６により覆われ、かご室５の下部は下部整風カバー７により覆われている。上部整風カバー６内には、かご室５から離れた開放層２０と、開放層２０とかご室５との間に介在する密閉層２１とが設けられている。開放層２０及び密閉層２１は、上部仕切り板８により仕切られている。上部整風カバー６には、密閉層２１を避けて開放層２０にのみ設けられた換気口２４が設けられている。開放層２０内は、換気口２４を通して開放層２０外に開放されている。【選択図】図１
2010254423.tif 000002
【特許請求の範囲】
【請求項１】
かご室、
上記かご室の上部及び下部の少なくともいずれかを覆う整風カバー、及び
上記整風カバー内の空間を仕切ることにより、上記かご室から離れた開放層と、上記開放層及び上記かご室間に介在する密閉層とを上記整風カバー内に設ける仕切り体
を備え、
上記開放層内は、上記密閉層を避けて上記整風カバーに設けられた開口部を通して上記開放層外に開放されていることを特徴とするエレベータのかご。
【請求項２】
上記密閉層内には、吸音材が設けられていることを特徴とする請求項１に記載のエレベータのかご。
【請求項３】
懸架体に吊り下げられ、上記かご室を支持するかご枠をさらに備え、
上記懸架体は、上記開放層及び上記密閉層のうち、上記開放層のみを通って上記かご枠に接続されていることを特徴とする請求項１又は請求項２に記載のエレベータのかご。
【発明の詳細な説明】
【技術分野】
【０００１】
この発明は、移動時のかごの周囲における気流の乱れを抑制する整風カバーが設けられたエレベータのかごに関するものである。
【背景技術】
【０００２】
従来、移動時のかごの周囲における気流の乱れを抑制するために、かご室の上部及び下部のそれぞれに整風カバーを設けたエレベータが提案されている。整風カバーの形状は、空気抵抗を受けにくい半ドーム状とされている。これにより、気流の乱れにより生じる風音が抑制され、かご室内の騒音が抑制される（例えば特許文献１参照）。
【先行技術文献】
【特許文献】
【０００３】
【特許文献１】特開平５−７８９号公報
【発明の概要】
【発明が解決しようとする課題】
【０００４】
しかし、整風カバー内を密閉空間とすると、換気を必要とする機器（例えばエアコンの室外機等）を整風カバー内に配置することができない。この場合、整風カバー外に機器を設置しなければならないので、整風カバー外の機器によってかごの周囲での気流の乱れが大きくなり、かご室内の騒音が大きくなってしまう。一方、整風カバー内に機器を設置するために、整風カバーに換気用の開口を設けることもできるが、このようにしても、換気用の開口によってかごの周囲での気流の乱れが大きくなり、かご室内の騒音が大きくなってしまう。
【０００５】
この発明は、上記のような課題を解決するためになされたものであり、かご室内の騒音をより確実に抑制することができるエレベータのかごを得ることを目的とする。
【課題を解決するための手段】
【０００６】
この発明に係るエレベータのかごは、かご室、かご室の上部及び下部の少なくともいずれかを覆う整風カバー、及び整風カバー内の空間を仕切ることにより、かご室から離れた開放層と、開放層及びかご室間に介在する密閉層とを整風カバー内に設ける仕切り体を備え、開放層内は、密閉層を避けて整風カバーに設けられた開口部を通して開放層外に開放されている。
【発明の効果】
【０００７】
この発明に係るエレベータのかごでは、開口部が設けられた開放層がかご室から離れた位置に存在し、密閉層が開放層とかご室との間に介在しているので、開口部を通して開放層内の換気を行うことができる。これにより、かご搭載機器を開放層内に配置した場合であっても、例えば換気不足や開放層内の温度上昇等の不具合の防止を図ることができる。従って、かご搭載機器が整風カバー外に配置されることを回避することができ、かご搭載機器による気流の乱れを抑制することができる。また、密閉層が開放層とかご室との間に介在しているので、気流の乱れが生じやすい開放層からの風音を密閉層によってかご室内に伝えにくくすることができる。さらに、密閉層を介在させることにより開放層をかご室から遠ざけることができる。このようなことから、かご室内の騒音をより確実に抑制することができる。
【図面の簡単な説明】
【０００８】
【図１】この発明の実施の形態１によるエレベータのかごを示す側面図である。
【図２】図１のかごを示す正面図である。
【図３】図１の上部整風カバー内における開放層を示す縦断面図である。
【発明を実施するための形態】
【０００９】
実施の形態１．
図１は、この発明の実施の形態１によるエレベータのかごを示す側面図である。また、図２は、図１のかごを示す正面図である。図において、昇降路１内には、かご２が複数本の懸架体３により吊り下げられている。懸架体３としては、例えばロープやベルト等が用いられている。かご２は、昇降路１内に設置された一対のかごガイドレール（図示せず）間に配置されている。かご２は、昇降路１内に設置された巻上機（図示せず）の駆動力により、各かごガイドレールに案内されながら昇降路１内を上下方向へ移動される。
【００１０】
かご２は、かご枠４と、かご枠４に支持されたかご室５と、かご室５の上部を覆う上部整風カバー６と、かご室５の下部を覆う下部整風カバー７と、上部整風カバー６内に配置された上部仕切り板（仕切り体）８と、下部整風カバー７内に配置された下部仕切り板（仕切り体）９とを有している。
【００１１】
かご枠４は、かご室５が載せられた下枠１０と、かご室５の上方に配置され、各懸架体３が接続された上枠１１と、下枠１０及び上枠１１のそれぞれの端部に固定された一対の縦枠１２とを有している。かご室５は、各縦枠１２間に配置されている。かご枠４は、各懸架体３により吊り下げられている。
【００１２】
各縦枠１２の下端部の位置は、下枠１０の位置よりも低い位置となっている。各縦枠１２の上端部及び下端部のそれぞれには、かごガイドレールに接触しながら転動されるローラを有するガイド装置１３が設けられている。
【００１３】
かご室５の正面には、かご出入口１４が設けられている。かご出入口１４は、一対のかごの戸１５により開閉される。また、この例では、かご室５の上部に水平な天井板１６が設けられ、かご室５の下部に水平な床板１７が設けられている。
【００１４】
上部整風カバー６は上枠１１及び天井板１６をまとめて覆っており、下部整風カバー７は下枠１０及び床板１７をまとめて覆っている。上部整風カバー６及び下部整風カバー７のそれぞれの形状は、水平断面積がかご室５に近くなるほど連続的に大きくなる形状とされている。これにより、かご２の全体形状が流線形となり、かご２の移動時にかご２の周囲に生じる気流の乱れが抑制される。この例では、上部整風カバー６及び下部整風カバー７のそれぞれは、半ドーム形状とされたカバー本体部１８と、カバー本体部１８に固定され、かご２の移動方向に沿って配置された縦板部１９とを有している。
【００１５】
上部仕切り板８は、上部整風カバー６の内面及び上枠１１に水平に取り付けられている。上部整風カバー６内の空間は、上部仕切り板８により仕切られている。これにより、上部整風カバー６内には、かご室５から離れた開放層２０と、開放層２０とかご室５との間に介在する密閉層２１とが設けられている。即ち、上部整風カバー６内には、上部仕切り板８により仕切られた２つの空間である開放層２０と密閉層２１とが設けられている。
【００１６】
各懸架体３は、開放層２０及び密閉層２１のうち、開放層２０内にのみ通されている。また、開放層２０内には、図１に示すように、かご搭載機器（例えばエアコンの室外機等）２２が各懸架体３を避けて配置されている。かご搭載機器２２は、上部仕切り板８に載せられている。
【００１７】
上部整風カバー６には、各懸架体３が通された複数の通し穴（開口部）２３と、各通し穴２３の位置よりもかご室５に近い位置に存在する換気口（開口部）２４とが設けられている。各通し穴２３及び換気口２４は、密閉層２１を避けて開放層２０にのみ設けられている。開放層２０内は、各通し穴２３及び換気口２４を通して開放層２０外に開放されている。
【００１８】
ここで、図３は、図１の上部整風カバー６内における開放層２０を示す縦断面図である。かご２が上昇すると、外気が各通し穴２３を通って開放層２０内に流入し、開放層２０内の空気が換気口２４を通ってかご２外へ流出する。従って、開放層２０内に空気の流れが生じ、開放層２０内の換気が可能となる。
【００１９】
密閉層２１を囲む上部整風カバー６、上部仕切り板８及び天井板１６には、図１に示すように、開口部は設けられていない。即ち、密閉層２１は、上部整風カバー６、上部仕切り板８及び天井板１６によって囲まれた密閉空間とされている。従って、密閉層２１内に対する空気の出入りは抑制される。
【００２０】
下部仕切り板９は、下部整風カバー７の内面に水平に取り付けられている。下部整風カバー７内の空間は、下部仕切り板９により仕切られている。これにより、下部整風カバー７内には、かご室５から離れた開放層２５と、開放層２５とかご室５との間に介在する密閉層２６とが設けられている。
【００２１】
下部整風カバー７には、開放層２５を開放する換気口（開口部）２７が設けられている。換気口２７は、密閉層２６を避けて開放層２５にのみ設けられている。これにより、開放層２５内の換気が可能となり、密閉層２６に対する空気の出入りが抑制される。
【００２２】
このようなエレベータのかご２では、通し穴２３や換気口２４，２７が設けられた開放層２０，２５がかご室５から離れた位置に存在し、密閉空間とされた密閉層２１，２６が開放層２０，２５とかご室５との間に介在しているので、換気口２４，２７等を通して開放層２０，２５内の換気を行うことができる。これにより、かご搭載機器２２を開放層２０，２５内に配置した場合であっても、例えば換気不足や開放層内の温度上昇等の不具合の防止を図ることができる。従って、かご搭載機器２２が上部整風カバー６外及び下部整風カバー７外に配置されることを回避することができ、かご搭載機器２２による気流の乱れを抑制することができる。また、密閉された空気層である密閉層２１，２６が開放層２０，２５とかご室５との間に介在しているので、気流の乱れが生じやすい開放層２０，２５からの風音を密閉層２１，２６によってかご室５内に伝えにくくすることができる。さらに、密閉層２１，２６を介在させることにより開放層２０，２５をかご室５から遠ざけることができる。このようなことから、かご室５内の騒音をより確実に抑制することができる。
【００２３】
また、かご枠４を吊り下げる各懸架体３は、開放層２０及び密閉層２１のうち、開放層２０のみを通ってかご枠４に接続されているので、密閉層２１の密閉状態を確保したまま、かご枠４を上部整風カバー６で覆うことができる。これにより、かご室５内の騒音抑制効果を確保したまま、かご枠４への懸架体３の接続を可能にすることができる。
【００２４】
また、開放層２０と密閉層２１とが上部仕切り板８によって仕切られ、開放層２５と密閉層２６とが下部仕切り板９によって仕切られているので、上部仕切り板８及び下部仕切り板９のそれぞれの位置を調整することにより、開放層２０，２５の大きさを自由に調整することができる。これにより、大形のかご搭載機器２２であっても、開放層２０，２５内に容易に配置することができる。
【００２５】
なお、吸音効果のある吸音材（例えばグラスウール等）を密閉層２１，２６内に配置してもよい。このようにすれば、密閉層２１，２６内の吸音材によって開放層２０，２５からの風音を吸音することができる。従って、開放層２０，２５からかご室５内への風音がさらに伝わりにくくなり、かご室５内の騒音をさらに抑制することができる。
【００２６】
また、上記の例では、開放層２０及び密閉層２１が上部整風カバー６内に設けられ、開放層２５及び密閉層２６が下部整風カバー７内に設けられているが、開放層及び密閉層を設けるのは、上部整風カバー６内及び下部整風カバー７内のいずれかにのみであってもよい。
【００２７】
また、上記の例では、上部整風カバー６がかご室５の上部に設けられ、下部整風カバー７がかご室５の下部に設けられているが、上部整風カバー６及び下部整風カバー７のいずれかのみをかご室５に設けてもよい。
【符号の説明】
【００２８】
２  かご、３  懸架体、４  かご枠、５  かご室、６  上部整風カバー（整風カバー）、７  下部整風カバー（整風カバー）、８  上部仕切り板（仕切り体）、９  下部仕切り板（仕切り体）、２０，２５  開放層、２１，２６  密閉層、２３  通し穴（開口部）、２４，２７  換気口（開口部）。
【図１】
2010254423.tif 000003
【図２】
2010254423.tif 000004
【図３】
2010254423.tif 000005